(57)【要約】【課題】電気防食を施工したコンクリート構造物に補強用被覆を併用すると陽極表面上で発生した酸素の外環境への発散が阻害され、被覆が剥離したり、電気防食の作動に支障を来すことになる。【解決手段】外部電源方式の電気防食を施したコンクリート構造物の外面に陽極を覆う被覆を設けると共に、被覆の下面とコンクリート外面との間に線条状のガス誘導路を設け、陽極上で発生する酸素を外部環境に放出させる。【選択図】        図１
2005264243.tif 000002
【特許請求の範囲】
【請求項１】
外部電源方式の電気防食を施したコンクリート構造物の外面に陽極を覆う被覆を設けると共に、該被覆の下面とコンクリート外面との間に線条状のガス誘導路を設けたことを特徴とする電気防食構造。
【請求項２】
前記線条状のガス誘導路は、前記被覆に部分的な浮上り部を設けて形成したものであることを特徴とする請求項１記載の電気防食構造。
【請求項３】
前記線条状のガス誘導路は、コンクリート外面に設けた長溝であることを特徴とする請求項１記載の電気防食構造。
【請求項４】
前記線条状のガス誘導路は、前記被覆に設けた線条状欠損部とし、該欠損部を横切って左右の被覆を連結する連結材を備えたものであることを特徴とする請求項１記載の電気防食構造。
【発明の詳細な説明】
【技術分野】
【０００１】
本発明は、外部電源方式の電気防食構造に関する。さらに詳しくは、コンクリートの剥落防止や補強などのためにコンクリート外面に被覆を設けた場合に、電気防食の機能とコンクリート補強機能の両者の機能が低下しないようにする技術に関する。
【背景技術】
【０００２】
塩害等により損傷を受けたコンクリート構造物の鋼材腐食抑制手段として電気防食技術が用いられている（例えば、特許文献１参照。）。
【０００３】
また、コンクリート構造物を補修しようとする場合には、鋼材腐食を抑制するだけでなく、跨線橋や跨道橋などでは劣化したコンクリートが落下して、第３者被害を生ずるおそれがあるので、これを避けるためコンクリートの剥落防止を図る必要がある。また、鋼材腐食が著しく耐荷力が不足している構造物に対しては併せて鋼材の補強も必要となる。
【０００４】
対象とする構造物が跨線橋や跨道橋である場合には、上記劣化したコンクリートの剥落防止や補強対策として、従来、ビニロン繊維や炭素繊維をエポキシ樹脂など用いてコンクリート外面に貼り付けて被覆する手段が主流である。
【０００５】
電気防食を施工したコンクリート外面に、合成樹脂繊維等から成る被覆を、エポキシ樹脂などを用いて貼り付けた場合、この被覆は、陽極材表面で電気化学反応により発生した酸素の放散を遮断することになる。このような現象が生じると、コンクリートと被覆との間の付着力が低下し、被覆が剥れ、被覆がコンクリート補強の役割を果たさなくなる。
【０００６】
さらに、この場合、電気防食に必要な電源電圧が上昇し、正常な電気防食の作動に悪影響を及ぼすという問題もある。
【０００７】
電気防食は、コンクリート外面に設置した陽極からコンクリート中の鉄筋に微少電流を通電することにより、鋼材の腐食を抑制する手段である。電流を通電した場合、陽極表面上では酸素の発生反応が生じる。発生した酸素は、陽極を覆っているセメント系陽極被覆材を通して、外部環境に放出される。
【０００８】
一方、コンクリート構造物に塩害による劣化が生じた場合、劣化の程度は一様ではなく、比較的損傷程度が軽微な場合もあるが、著しい場合もある。劣化が著しい場合、電気防食手段を適用するだけではなく、構造物自体の補強も同時に施工する必要がある。構造物自体の補強手段としては、外ケーブルを設置する補強技術や、炭素繊維等を貼着して補強する技術等がある。
【０００９】
電気防食工法とこれら炭素繊維補強や、コンクリート剥落防止対策工法などとを併用する場合、上述のようなデメリットが生ずることがあるので、コンクリート構造物への適用は注意が必要となる。
【００１０】
また、コンクリート床版では、通常、橋面上面が防水されており、設置した陽極全面を樹脂や防水材で覆うと陽極表面上で発生した酸素の外部環境への放出が阻害され、電気防食の正常な作動ができなくなる。これを避けるために、樹脂や炭素繊維、樹脂繊維、防水材を陽極上の一定間隔には施工しないこととすると、剥落対策、補強工法、防水工法の効果が滅殺させることになり好ましくない。
【特許文献１】特開２００１−１１６６６号公報（第２−３頁、図４）
【発明の開示】
【発明が解決しようとする課題】
【００１１】
最近の電気防食の施工事例を見ると電気防食だけでなく、外ケーブルや炭素繊維を用いた強度補強やビニロン繊維を用いたコンクリート剥落防止と併用する場合が多くなってきている。本発明は、コンクリート構造物に電気防食を施す場合に、併せてコンクリート構造の補強やコンクリート剥落防止などのために、コンクリート外面に被覆を施す場合に、被覆の剥落防止と共に、電気防食の効果を滅殺する現象を防止する技術を提供することを目的とする。
【００１２】
補強や剥落防止のための炭素繊維やビニロン繊維は、樹脂を介してコンクリート表面に貼り付けられる。電気防食を施工した後に、これらの繊維を貼着した場合には、陽極表面上で発生した酸素の外部環境への発散が阻害され、被覆の浮き上りを生じたり、電気防食の正常な作動に支障を来すことになる。このような問題の対策として、
（１）陽極表面上には樹脂を使用しないで被覆を貼り付ける。（剥落防止、補強を兼ね備えた電気防食工法）。
【００１３】
（２）陽極表面上に一定間隔で被覆を設置しない部分を設ける
等の対策がなされている。施工条件、設計条件、電気防食の種類等にも依存するが、上記（１）（２）の対策では対応できない場合がある。
【００１４】
電気防食、コンクリート強度の補強、コンクリート剥落対策、防水などの施策を併用する場合、それぞれの施策の効果を低減させることなく施工するには工夫が必要となる。
【００１５】
本発明は、上記問題を解決することを目的とし、電気防食と被覆補強等を併用する場合に、陽極上で発生する酸素を外部環境に放出させ、電気防食と補強等の効果を両立させる技術を提供する。
【課題を解決するための手段】
【００１６】
本発明は、上記問題点を解決するためになされたもので、次の技術手段を講じたことを特徴とする。すなわち、本発明は、外部電源方式の電気防食を施したコンクリート構造物の外面に陽極を覆う被覆を設けると共に、該被覆の下面とコンクリート外面との間に線条状のガス誘導路を設けたことを特徴とする電気防食構造である。
【００１７】
上記電気防食構造において、前記線条状のガス誘導路は、前記被覆に部分的な浮上り部を設けて形成したものとしてもよく、また、コンクリート外面に設けた細長溝としてもよい。さらに、前記被覆に線条状欠損部を設け、この欠損部を横切って左右の被覆を連結する連結材を設けるようにすることも有効である。この場合、連結材としては合成樹脂繊維等の糸、線条、紐、網などを用いるとよい。
【発明の効果】
【００１８】
本発明によれば、コンクリート構造物に電気防食と外面被覆による補強を施してコンクリートの剥落防止対策、防水保護などを併用した場合、電気防食及びコンクリート補強のそれぞれの工法の効果を損なうことなく施工することが可能となった。
【００１９】
また、本発明によれば、橋面に防水を施した部材の電気防食も可能となった。
【発明を実施するための最良の形態】
【００２０】
通常、コンクリート構造物に電気防食を施す場合に、コンクリートの表面に溝を切削し、帯状の陽極を埋設する。この電気防食を作動させた場合、陽極表面上に酸素発生反応が生じる。通常の外部電源方式による電気防食では、陽極を設置した後にセメント系陽極被覆材でこの陽極を被覆する。陽極上で発生した酸素はこの陽極被覆材を通って外部環境に放出される。
【００２１】
本発明は、外部電源方式の電気防食を施したコンクリート構造物の外面に、コンクリートの補強や剥落防止のために陽極を覆う被覆を設けた場合に、被覆の下面とコンクリート外面との間に線条状のガス誘導路を設け、陽極で発生するガスを大気中に放散するようにした技術である。
【００２２】
以下図面を参照して本発明の実施の形態を説明する。図１は本発明の第１の実施例の電気防食構造を示す図である。保護すべきコンクリート構造物１０は鉄筋１２を内蔵したコンクリート１１から成り、その外面近傍に電気防食用の陽極１３を配設刷る。この陽極１３はモルタル１４等によって埋設されて保護されている。
【００２３】
このコンクリート構造物１０の外面に被覆２０が施されている。この被覆２０はコンクリートの剥落等を防止したり、コンクリートの強度低下を補う補強材である。例えば、炭素繊維、樹脂繊維などから成る。また防水材であることもある。
【００２４】
図１に示す実施例では、この被覆２０の一部に浮上り部を設けて線条状のガス誘導路２１を設けた。図示しない外部電源が陽極１３と鉄筋１２との間に負荷されており、鉄筋１２を電気化学的に保護している。この電気防食による化学反応によって陽極１３に酸素が発生する。発生した酸素はモルタル１４等を通ってコンクリート構造物１０の表面１５に達する。コンクリート構造物１０の表面１５が被覆２０によって外界と遮断されていると、酸素は被覆２０の接着を弱め、また陽極１３の近傍の圧力を高め、電気防食の効果を減少させる。
【００２５】
図１に示す実施例では被覆２０の一部に線条状のガス誘導路２１を設けた。図はガス誘導路２１の横断面を示すもので、このガス誘導路２１は紙面に直角な方向に長く延びており、その端部は外部環境に露出している。従って、陽極１３で発生した酸素はこのガス誘導路２１を通って外部環境に放出される。このため、上記被覆２０の剥離や、電気防食効果を抑制する作用は、全くなくなる。ガス誘導路２１の大きさ、数、配列等は実情に応じて適宜定めるとよい。
【００２６】
図２は本発明の別の実施例を示すもので、参照符号１０〜１４は図１と同様のものを示している。図２ではコンクリート構造物１０の表面に長溝１７を設け、この長溝１７内に陽極１３を配設している。モルタル１４はコンクリート１１の表面より高さを低く施工し、その上方に空間１８を形成している。溝１７は紙面に直角な方向に長く、その端部はコンクリート構造物１０の端部等において大気中に開口している。長溝１７上に樹脂プレート２２で蓋を施し、その上に被覆２０が貼着されている。従って空間１８はガス誘導路を形成している。
【００２７】
図２に示す構造では、陽極１３で発生した酸素ガスはガス誘導路（空間１８）を通って外部環境に排出され、電気防食機能を阻害させることは全くなく、また被覆２０の剥離を引起さない。
【００２８】
図３は別の実施例を示すコンクリート構造物１０の表面近傍の断面図である。被覆２０は幅狭で長さの長い線条状の欠損部２３を備えているので、この部分がガスを放出するガス誘導路となっている。この欠損部２３を横切る繊維等からなる連結材２４によって被覆２０が連結されている。連結材２４は被覆２０中に全面的に埋設された繊維の糸、線条、網状体などとすればよい。
【図面の簡単な説明】
【００２９】
【図１】実施例の電気防食構造を示すコンクリート構造物の部分断面図である。
【図２】実施例の電気防食構造を示すコンクリート構造物の部分断面図である。
【図３】実施例の電気防食構造を示すコンクリート構造物の部分断面図である。
【符号の説明】
【００３０】
１０  コンクリート構造物
１１    コンクリート
１２    鉄筋
１３    陽極
１４    モルタル
１５    表面
１７    長溝
１８    空間（ガス誘導路）
２０    被覆
２１    ガス誘導路
２２    樹脂プレート
２３    欠損部
２４    連結材
【図１】
2005264243.tif 000003
【図２】
2005264243.tif 000004
【図３】
2005264243.tif 000005